(57)【要約】【課題】  装置本体の一側に待機している読み取り装置が、原稿に沿って移動しながら読み取り、反対側まで移動して読み終わって反対側まで移動し終わると、再びその一側の待機位置にまで戻る往復移動によって一回の読み取り作用が終了する。このように、読み取るための移動時間は読み取り時間に制限があるために読み取り速度を一定時間以上に上げることはできない問題がり、しかもその時間は、往復移動の時間となるという問題がある。【解決手段】  原稿をセットするテーブルと、そこにセットされた原稿を押さえる透明な蓋およびその蓋の上を左右両方向に移動してそのそれぞれで原稿を読み取る読み取り装置から構成され、テーブルの両側に上記読み取り装置の設置場所を設けたことを特徴とする。【選択図】        図１
2005210387.tif 000002
【特許請求の範囲】
【請求項１】
原稿をセットするテーブルと、そこにセットされた原稿を押さえる透明な蓋およびその蓋の上を左右両方向に移動してそのそれぞれで原稿を読み取る読み取り装置から構成され、
テーブルの両側に上記読み取り装置の設置場所を設けたことを特徴とする大判原稿読み取り装置。
【請求項２】
請求項１において、読み取り装置の移動方向の両正面側に、障害物検知センサを設けたことを特徴とする大判原稿読み取り装置。
【請求項３】
請求項１において、読み取り装置をＣＣＤセンサとしたこと特徴とする大判原稿読み取り装置。
【請求項４】
請求項１において、読み取り装置を複数のカメラからなるカメラ装置としたことを特徴とする大判原稿読み取り装置。
【請求項５】
請求項１において、テーブルの色を原稿の地色と異なる色としたことを特徴とする大判原稿読み取り装置。
【発明の詳細な説明】
【技術分野】
【０００１】
本発明は、Ａ１やＡ０のような大判原稿の読み取り装置に関する。
【背景技術】
【０００２】
従来の大判原稿をＯＣＲ等の読み取り装置で読み取る読み取り装置は、読み取り装置の移動に伴って原稿を読み取るもので、装置本体の一側に待機している読み取り装置が原稿に沿って移動して読み取り作用をしている。（例えば、特許文献１参照。）。
【特許文献１】特開平９−４６４７６号公報
【発明の開示】
【発明が解決しようとする課題】
【０００３】
上述した従来の技術においては、装置本体の一側に待機している読み取り装置が、原稿に沿って移動しながら読み取り、反対側まで移動して読み終わって反対側まで移動し終わると、再びその一側の待機位置にまで戻る往復移動によって一回の読み取り作用が終了する。このように、読み取るための移動時間は読み取り時間に制限があるために読み取り速度を一定時間以上に上げることはできない問題がり、しかもその時間は、往復移動の時間となるという問題がある。
【０００４】
特に、大判原稿の場合にはその移動距離はその大きさに応じて長くなり、一回の読み取り作業には多大の時間を要することになる。
本発明は、上記の問題点を解決するためになされたもので、大判原稿でも迅速な読み取り作業が行えるようにすることを目的とする。
【課題を解決するための手段】
【０００５】
そこで本発明は、原稿をセットするテーブルと、そこにセットされた原稿を押さえる透明な蓋およびその蓋の上を左右両方向に移動してそのそれぞれで原稿を読み取る読み取り装置から構成され、テーブルの両側に上記読み取り装置の設置場所を設けたことを特徴とする。
また、上記構成において、読み取り装置をＣＣＤセンサとしたこと特徴する。
【０００６】
さらに、上記構成において、読み取り装置をカメラ装置としたことを特徴とする。
【発明の効果】
【０００７】
これにより、本発明は、大判原稿の読み取り時間を大きく短縮することができるという効果が得られる。
【発明を実施するための最良の形態】
【０００８】
以下に、図面を参照して本発明の実施例を説明する。
第１実施例
【０００９】
図１は本発明の第１実施例を示す全体斜視図、図２から図４は作動状態を示す全体斜視図である。
図において、１は装置本体であり、原稿をセットするテーブル２と、そこにセットされた原稿を押さえる透明な蓋３およびその蓋３の上を移動して原稿を読み取る読み取り装置４から構成される。
【００１０】
上記装置本体１は、テーブル２の両側もしくはそれらの近傍に読み取り装置４の設置場所５１、５２が設けてある。
上記読み取り装置４はラインＣＣＤ（Ｃｈａｒｇｅ  Ｃｏｕｐｌｅｄ  Ｄｅｖｉｃｅ）センサ等よりなる読み取り部を有し、左右双方向の移動時での読み取りが可能となっている。
【００１１】
以上の構成によると、テーブル２上に原稿を載置し、透明な蓋３を閉じて原稿のセットが終了する。そこで、図２に示す如く、読み取り装置４を蓋３の上面に沿ってテーブル２の反対側（矢印方向）に移動することにより、原稿を読み取ることができ、読み取り装置４は反対側の設置場所５２に移動して読み取りは終了する。
つぎに、図３に示す如く、蓋３を開けて原稿を変えて載置し、再び透明な蓋３を閉じて原稿のセットが終了する。そこで、図４に示す如く、読み取り装置４を蓋３の上面に沿ってテーブル２の元の設置場所５１である反対側（矢印方向）に移動することにより、セットされている原稿を読み取ることができ、読み取り装置４は元の設置場所５１に移動して読み取りは終了する。
【００１２】
このようにして、読み取り装置４の１往復で２回の読み取りを行うことができ、特に原稿がＡ１やＡ０のように大判で読み取りに時間のかかる原稿に対して有効である。
なお、上記の構成において、読み取り装置１の移動方向の両正面側に、障害物検知センサ６１、６２を設けておくことにより、読み取り移動中に障害物を検知した場合に移動を停止させることができる。
【００１３】
この構成によっても、上記とまったく同様に作動させることができるもので、図５に示す如く、テーブル２上に原稿を載置し、透明な蓋３を閉じて原稿のセットが終了する。そこで、図６に示す如く、読み取り装置４を蓋３の上面に沿ってテーブル２の反対側（矢印方向）に移動することにより、原稿を読み取ることができ、読み取り装置４は反対側の設置場所５２に移動して読み取りは終了する。このとき、障害物検知センサ６２がＯＮ状態となって蓋３上に障害物を検出したときには直ちに読み取り装置４の駆動を停止する。
【００１４】
駆動が停止した場合には、障害物を取り除き、読み取り装置４を元の位置に戻し、再び最初から移動を開始して読み取りを行い、読み取り装置４は反対側の設置場所５２に移動して読み取りは終了する。
そこで、図７に示す如く、蓋３を開けて原稿を変えて載置し、再び透明な蓋３を閉じて原稿のセットが終了する。そこで、図８に示す如く、読み取り装置４を蓋３の上面に沿ってテーブル２の反対側（矢印方向）に移動することにより、原稿を読み取ることができ、読み取り装置４は元の設置場所５１に移動して読み取りは終了する。このときも、障害物検知センサ６１がＯＮ状態となって蓋３上に障害物を検出したときには直ちに読み取り装置４の駆動を停止する。このように停止した場合は、上記と同様に処理をする。
【００１５】
このように読み取り装置４が駆動中に、障害物検知センサ６１もしくは６２が蓋３の上にある障害物を検知すると読み取り装置４の駆動を直ちに停止させて破損や故障を未然に防止することができる。
第２実施例
【００１６】
本実施例は上記の実施例とは、読み取り装置の構造が異なるものであり、その他の部位は同様であるためにそれらの各部位の説明は省略し、同一の符号を用いて以下の説明をする。
図９は説明図であり、図において、７はエリアＣＣＤカメラ等によるカメラ装置であり、図において、テーブル２の縦方向に、その縦方向の撮影エリアをカバーすることができる台数、本実施例では三台のカメラ７１、７２、７３を一体にして設置場所５１に配置する。
【００１７】
このようにしたカメラ装置７を、左右双方向の移動時での撮影が可能となっている。
以上の構成によると、テーブル２上に原稿を載置し、透明な蓋３を閉じて原稿のセットが終了する。そこで、カメラ装置７を蓋３の上面に沿ってテーブル２の反対側（矢印方向）に移動する。
これにより、図１０に示す如く、撮影可能エリア分a（例えば、Ａ４サイズエリア分）だけ移動したところで第１回目の撮影をし、つぎに、撮影可能エリア分bだけ移動したところで第２回目の撮影をし、以降同様に撮影可能エリア c、dと移動をしながら撮影を行って撮影は終了し、カメラ装置７は反対側の設置場所５２に移動して読み取りは終了する。なお、本実施例ではＡ０サイズの原稿をＡ４サイズ毎に撮影した場合で説明を行ったが、この撮影回数は適宜に定まる回数である。
【００１８】
このようにして撮影して得た複数の画像をコンピュータにより合成処理して合成データを作成し、データファイル８とする。
このように、移動しながら撮影を数回行うことによって高速な撮影が可能となる。この際の、移動速度は、撮影に影響のない程度の速度であるために高速で行うことができる。
つぎに、図示しないが、蓋３を開けて原稿を変えて載置し、再び透明な蓋３を閉じて原稿のセットが終了する。そこで、カメラ装置７を上記と逆の方向から移動させて同様の撮影を繰り返し、テーブル２の元の設置場所５１である反対側（矢印方向）に移動することにより、セットされている原稿を読み取ることができ、カメラ装置７は元の設置場所５１に移動して撮影は終了し、上記同様に合成データを作成し、データファイルとする。
【００１９】
このようにして、カメラ装置７の１往復で２回の撮影を行うことができ、特に原稿がＡ１やＡ０のように大判で読み取りに時間のかかる原稿に対して有効である。
なお、上記の説明においては、移動しながら撮影を行うために、高解像度の撮影は困難である。
そこで、コンピュータにより高解像度が必要なエリアを撮影前に予め指示しておき、上記同様にカメラ装置７を移動しながら撮影し、その画像データをコンピュータに送る。
【００２０】
つぎに、上記で指定した高解像度が必要なエリアにカメラ装置７を移動し、「画像ずらし」等の処理を行ってそのエリアの撮影を行う。その画像データをコンピュータに送り、このデータを上記連続撮影したデータと入れ換えて画像合成を行い、画像データを得る。
なお、この撮影においても、カメラ装置７の１往復で２回の撮影を行うことができ、特に原稿がＡ１やＡ０のように大判で読み取りに時間のかかる原稿に対する時間短縮として有効である。
【００２１】
このようにして得たデータは、高解像度の画像データとなり、しかも撮影時間の短い読み取り装置となる。
第３実施例
【００２２】
本実施例は上記のような大判の読み取り装置において、Ａ３やＡ４等の小型原稿を読み取る場合であっても読み取り装置の移動量はテーブル２の幅だけは移動するために移動量は一定であり、このような小型原稿を一枚づつセットして読み取っていては作業効率が悪く、時間がかかる。
そこで、本実施例では複数の原稿をセットして一度に読み取る構造とした。この実施例も、上記実施例と同様に、装置本体の両側にカメラ装置の設置場所があり、その他の個所も同様である。したがって、以下の説明は同一符号を用いて説明する。
【００２３】
原稿をセットするテーブル２の色を例えば黒色のように原稿の地色と異なる色としてある。
そこで、テーブル２上に図１１に示す如く、適当な隙間を形成するようにして複数枚配置して透明な蓋３を閉じて原稿のセットが終了する。そこで、カメラ装置７を移動させながら上記実施例同様に撮影し、画像データを取得する。
【００２４】
取得した画像データをコンピュータにより、原稿のエッジを原稿とテーブルの色違いにより検出し、撮影されたそれぞれのサイズの画像データをすべて取得することができ、データファイル８とする。
このように、一度に複数枚の原稿の画像データを取得することができることにより、作業効率が大幅に向上することになる。
【図面の簡単な説明】
【００２５】
【図１】第１実施例を示す全体斜視図
【図２】作動状態を示す全体斜視図
【図３】作動状態を示す全体説明図
【図４】作動状態を示す全体説明図
【図５】障害物検知センサを取り付けた全体斜視図
【図６】作動状態を示す全体斜視図
【図７】作動状態を示す全体説明図
【図８】作動状態を示す全体説明図
【図９】第２実施例を示す説明図
【図１０】作動状態を示す全体説明図
【図１１】第３実施例を示す説明図
【符号の説明】
【００２６】
１  装置本体
２  テーブル
３  蓋
４  読み取り装置
５１、５２  設置場
６１、６２  障害物検知センサ
７  カメラ装置
７１、７２、７３  カメラ
８  データファイル  
【図１】
2005210387.tif 000003
【図２】
2005210387.tif 000004
【図３】
2005210387.tif 000005
【図４】
2005210387.tif 000006
【図５】
2005210387.tif 000007
【図６】
2005210387.tif 000008
【図７】
2005210387.tif 000009
【図８】
2005210387.tif 000010
【図９】
2005210387.tif 000011
【図１０】
2005210387.tif 000012
【図１１】
2005210387.tif 000013